(57)【要約】  表示装置では、画像を表示する液晶パネル（８）の背面から照明するバックライト用光源（９）の駆動電力を温度・バックライト駆動電力情報検出部（２）によって検出し、画面ムラ変化特性記憶部（１）と１次補正データ作成部（３）と表示装置の画面ムラ特性記憶部（４）と２次補正データ作成部（５）と補正値送信部（６）と３ＤＬＵＴ回路（７）によって前記検出された駆動電力に応じて表示パネル（８）により表示される画像の信号を補正し、これにより、画面ムラを適切に補正することができる。
2012157093.tif 000002
【特許請求の範囲】
【請求項１】
画像を表示する表示部と、
前記表示部の背面から照明するバックライト用の光源と、
前記バックライト用の光源の駆動電力を検出するバックライト駆動電力検出手段と、
前記バックライト駆動電力検出手段により検出された駆動電力に応じて、前記表示部により表示される画像の信号を補正することで、画面ムラを補正する画面ムラ補正手段と、
を備えたことを特徴とする表示装置。
【請求項２】
画像を表示する表示部と、
前記表示部の背面から照明するバックライト用の光源と、
装置内の温度を検出する装置内温度検出手段と、
前記装置内温度検出手段により検出された装置内の温度に応じて、前記表示部により表示される画像の信号を補正することで、画面ムラを補正する画面ムラ補正手段と、
を備えたことを特徴とする表示装置。
【請求項３】
画像を表示する表示部と、
前記表示部の背面から照明するバックライト用の光源と、
前記バックライト用の光源の駆動電力を検出するバックライト駆動電力検出手段と、
装置内の温度を検出する装置内温度検出手段と、
前記バックライト駆動電力検出手段により検出された駆動電力及び前記装置内温度検出手段により検出された装置内の温度に応じて、前記表示部により表示される画像の信号を補正することで、画面ムラを補正する画面ムラ補正手段と、
を備えたことを特徴とする表示装置。
【請求項４】
画像を表示する表示部の背面から照明するバックライト用の光源の駆動電力を検出し、
検出した駆動電力に応じて、前記表示部により表示される画像の信号を補正することで、画面ムラを補正する、
ことを特徴とする表示方法。
【請求項５】
画像を表示する表示部と前記表示部の背面から照明するバックライト用の光源を備えた装置内の温度を検出し、
検出した装置内の温度に応じて、前記表示部により表示される画像の信号を補正することで、画面ムラを補正する、
ことを特徴とする表示方法。
【請求項６】
画像を表示する表示部の背面から照明するバックライト用の光源の駆動電力を検出するとともに、装置内の温度を検出し、
検出した駆動電力及び装置内の温度に応じて、前記表示部により表示される画像の信号を補正することで、画面ムラを補正する、
ことを特徴とする表示方法。
【発明の詳細な説明】
【技術分野】
【０００１】
本発明は、バックライト駆動電力や装置内温度といった使用環境に基づいて画面ムラを補正する表示装置や表示方法に関する。
【背景技術】
【０００２】
バックライト付きの液晶表示パネルを用いて画像を表示する液晶表示装置では、画面内の位置によって輝度や色度のムラが発生する。
特許文献１に記載された液晶表示装置では、バックライト付きの液晶表示パネルを用いて画像を表示するに際して、バックライト用の光源の点灯による温度分布に対応した補償電圧データに従って前記液晶表示パネルの駆動電圧を制御することが行われ、これにより、パネル面内の温度ムラを補償することが図られている。【０００３】
図４は、背景技術に係る液晶表示装置の構成を示す。
本例の液晶表示装置では、表示装置の画面ムラ測定値／補正値記憶部１０１が当該液晶表示装置の画面ムラの測定値又は補正値のデータを記憶している。
表示装置の画面ムラ測定値／補正値記憶部１０１に記憶された画面ムラの測定値を使用する場合には、画面ムラが無く画面内が均一色となる目標ムラの特性を記憶した目標ムラ特性記憶部１０２からの目標ムラの特性と表示装置の画面ムラ測定値／補正値記憶部１０１からの測定値とを比較部１０３で比較し、その比較結果に基づいて補正値算出部１０４が補正値を算出して補正値送信部１０５へ出力する。一方、表示装置の画面ムラ測定値／補正値記憶部１０１に記憶された画面ムラの補正値を使用する場合には、表示装置の画面ムラ測定値／補正値記憶部１０１が補正値送信部１０５へ補正値を出力する。【０００４】
補正値送信部１０５は、入力された補正値を３ＤＬＵＴ回路１０６へ出力する。
３ＤＬＵＴ回路１０６は、入力される映像信号に関して、画素階調Ｉと画面内の表示位置ｘ、ｙの組み合わせと出力値との対応関係をルックアップテーブル（ＬＵＴ：Ｌｏｏｋ  Ｕｐ  Ｔａｂｌｅ）に記憶しており、入力された画素階調Ｉと画面内の表示位置ｘ、ｙの組み合わせに対応する出力値を液晶パネル１０７へ出力する。このＬＵＴの内容は、補正値送信部１０５からの補正値に対応して書き換えられ、当該補正値に対応したものとなる。なお、画面内の表示位置ｘ、ｙは、それぞれ、画面内で互いに直交する座標軸の座標値を表す。
液晶パネル１０７は、３ＤＬＵＴ回路１０６からの入力値に従った映像（画像）を表示画面に表示する。バックライト用光源１０８は、液晶パネル１０７を表示背面から照明する。
【先行技術文献】
【特許文献】
【０００５】
【特許文献１】実開平２−１４８１２７号公報
【非特許文献】
【０００６】
【非特許文献１】ｈｔｔｐ：／／ｗｗｗ．ｎｅｃ．ｃｏ．ｊｐ／ｔｅｃｈｒｅｐ／ｊａ／ｊｏｕｒｎａｌ／ｇ０９／ｎ０３／０９０３０７．ｈｔｍｌ
【発明の概要】
【発明が解決しようとする課題】
【０００７】
しかしながら、バックライトを使用する表示装置では、同一の個体であっても、画面ムラの特性が環境温度や表示輝度によって変化する。これは、画面ムラの要因であるバックライトの発光効率や発光色に温度依存性があり、バックライト内の各点の温度がバックライト駆動電力や装置内温度によって変化することが原因である。
なお、非特許文献１に係るＷｅｂページに示される図２〜図４には、バックライト用の光源に類似する蛍光灯の温度依存特性が示されており、これにより、温度によって発光輝度が変化することや、変化特性がＲ／Ｇ／Ｂの各色毎に異なることが把握される。このことからも、バックライト駆動電力や装置内温度によって画面内の輝度や色度の分布が変化することが推定される。【０００８】
上述した図４に示されるような表示装置では、表示装置の画面ムラの測定値又は補正値の設定においてバックライト駆動電力や装置内温度といった使用環境が全く考慮されておらず、画面ムラの測定値又は補正値が個体毎に固定であったため、前記のような使用環境の影響による画面ムラを抑圧することができないという問題点があった。
本発明の目的は、上述した課題を解決する表示装置や表示方法を提供することにある。
【課題を解決するための手段】
【０００９】
本発明に係る第１の表示装置は、画像を表示する表示部と、前記表示部の背面から照明するバックライト用の光源と、前記バックライト用の光源の駆動電力を検出するバックライト駆動電力検出手段と、前記バックライト駆動電力検出手段により検出された駆動電力に応じて、前記表示部により表示される画像の信号を補正することで、画面ムラを補正する画面ムラ補正手段と、を備えたことを特徴とする。【００１０】
本発明に係る第２の表示装置は、画像を表示する表示部と、前記表示部の背面から照明するバックライト用の光源と、装置内の温度を検出する装置内温度検出手段と、前記装置内温度検出手段により検出された装置内の温度に応じて、前記表示部により表示される画像の信号を補正することで、画面ムラを補正する画面ムラ補正手段と、を備えたことを特徴とする。【００１１】
本発明に係る第１の表示方法は、画像を表示する表示部の背面から照明するバックライト用の光源の駆動電力を検出し、検出した駆動電力に応じて、前記表示部により表示される画像の信号を補正することで、画面ムラを補正する、ことを特徴とする。【００１２】
本発明に係る第２の表示方法は、画像を表示する表示部と前記表示部の背面から照明するバックライト用の光源を備えた装置内の温度を検出し、検出した装置内の温度に応じて、前記表示部により表示される画像の信号を補正することで、画面ムラを補正する、ことを特徴とする。
【発明の効果】
【００１３】
本発明に係る表示装置や表示方法によれば、画面ムラを適切に補正して抑圧することができるという利点がある。
【図面の簡単な説明】
【００１４】
【図１】本発明の第１の実施形態に係る液晶表示装置の構成を示す概略ブロック図である。
【図２】本発明の実施形態に係る液晶表示装置により得られる画面ムラの補正特性の例を示す図である。
【図３】本発明の第２の実施形態に係る液晶表示装置の構成を示す概略ブロック図である。
【図４】背景技術に係る液晶表示装置の構成を示す図である。
【発明を実施するための形態】
【００１５】
本発明の第１の実施形態を説明する。
図１は、本発明の第１の実施形態に係る液晶表示装置の構成を示す概略ブロック図である。
この液晶表示装置は、画面ムラ変化特性記憶部１と、温度・バックライト駆動電力情報検出部２と、１次補正データ作成部３と、表示装置の画面ムラ特性記憶部４と、２次補正データ作成部５と、補正値送信部６と、３ＤＬＵＴ回路７と、液晶パネル８と、バックライト用光源９と、を備えている。
【００１６】
画面ムラ変化特性記憶部１は、装置内温度（本実施形態では、液晶表示装置内の温度）やバックライト駆動電力といった使用環境による変化に関して表示装置の画面ムラの変化特性の情報を記憶する。
温度・バックライト駆動電力情報検出部２は、装置内温度やバックライト駆動電力といった使用環境に関する情報を検出し、検出した情報を１次補正データ作成部３へ出力する。
１次補正データ作成部３は、画面ムラ変化特性記憶部１に記憶された情報と温度・バックライト駆動電力情報検出部２から得られる検出結果に基づいて１次補正データを作成して２次補正データ作成部５へ出力する。具体的には、１次補正データ作成部３は、画面ムラ変化特性記憶部１に記憶された情報を参照して、温度・バックライト駆動電力情報検出部２から得られた検出結果に対応した画面ムラの変化特性を補償する補正データを１次補正データとして作成する。
【００１７】
ここで、画面ムラ変化特性記憶部１により記憶する使用環境の情報及び温度・バックライト駆動電力情報検出部２により検出する使用環境の情報としては、バックライト駆動電力の情報と装置内温度の情報の両方が用いられるのが好ましいが、他の構成例として、バックライト駆動電力の情報のみが用いられてもよく、或いは、装置内温度の情報のみが用いられてもよい。具体的には、画面ムラ変化特性記憶部１がバックライト駆動電力と装置内温度の両方の変化により生じる画面ムラの変化特性の情報を記憶して、温度・バックライト駆動電力情報検出部２がバックライト駆動電力と装置内温度の両方の情報を検出する構成や、或いは、画面ムラ変化特性記憶部１がバックライト駆動電力の変化により生じる画面ムラの変化特性の情報を記憶して、温度・バックライト駆動電力情報検出部２がバックライト駆動電力の情報を検出する構成や、或いは、画面ムラ変化特性記憶部１が装置内温度の変化により生じる画面ムラの変化特性の情報を記憶して、温度・バックライト駆動電力情報検出部２が装置内温度の情報を検出する構成を用いることができる。
【００１８】
また、バックライト駆動電力の情報を検出する手法としては、例えば、予め測定された特性に基づいて、バックライト用光源９の制御値からバックライト駆動電力を算出する手法を用いることができる。このような光源の制御値としては、電圧や、電流や、点滅のデューティ（Ｄｕｔｙ）といったものの１つ以上を用いることができる。簡易な一例として、光源の制御値と当該制御値が使用される場合におけるバックライト駆動電力とを対応付けて記憶しておき、 光源の制御値を検出した際に当該制御値に対応するバックライト駆動電力を読み出すことにより、バックライト駆動電力を算出することができる。
なお、バックライトが多原色である場合には、色毎のバックライト駆動電力を合計又は平均した値をバックライト駆動電力として用いると好ましいが、他の構成が用いられてもよい。
【００１９】
また、装置内温度は、一例として、装置内に設けられた温度センサにより検出する。
また、装置内温度を検出する位置としては、任意の位置が用いられてもよく、例えば、液晶パネル８の任意の位置における温度を検出する構成や、バックライト用光源９の任意の位置における温度を検出する構成が用いられるのが好ましい。また、他の例として、メイン基板（図示せず）の任意の位置における温度を検出する構成を用いることもできる。
なお、装置内温度はおおよそ室温とバックライト駆動電力で決まる。また、温度の伝達には遅れが生じ得るため、装置内温度としてバックライト用光源９の温度を使用するような場合においても、その情報と併せてバックライト駆動電力の情報も使用して画面ムラを補正するのが好ましい。
【００２０】
表示装置の画面ムラ特性記憶部４は、装置内温度やバックライト駆動電力といった使用環境を所定の固定値とした場合における表示装置の画面ムラの特性の情報を記憶する。
ここで、本実施形態のように、画面ムラ変化特性記憶部１や温度・バックライト駆動電力情報検出部２で装置内温度とバックライト駆動電力の両方の情報が用いられる場合には、表示装置の画面ムラ特性記憶部４の情報としてはこれら両方を固定値としたものが用いられる。また、他の構成例として、画面ムラ変化特性記憶部１や温度・バックライト駆動電力情報検出部２でバックライト駆動電力のみの情報が用いられる場合には、表示装置の画面ムラ特性記憶部４の情報としては少なくともバックライト駆動電力を固定値としたものが用いられる。また、画面ムラ変化特性記憶部１や温度・バックライト駆動電力情報検出部２で装置内温度のみの情報が用いられる場合には、表示装置の画面ムラ特性記憶部４の情報としては少なくとも装置内温度を固定値としたものが用いられる。
【００２１】
２次補正データ作成部５は、１次補正データ作成部３からの１次補正データと表示装置の画面ムラ特性記憶部４に記憶された情報に基づいて２次補正データを作成して補正値送信部６へ出力する。具体的には、２次補正データ作成部５は、表示装置の画面ムラ特性記憶部４に記憶された画面ムラの特性に対して１次補正データにより表される変化分の特性を考慮した結果を２次補正データとして作成する。つまり、装置内温度やバックライト駆動電力といった使用環境を所定の固定値とした場合における表示装置の画面ムラの特性の情報（表示装置の画面ムラ特性記憶部４の情報）と、その固定値からの変化分に対応した情報（１次補正データ）から、これら両方を考慮した補正データ（２次補正データ）を作成する。
ここで、２次補正データ作成部５は、例えば、２つの入力値をパラメータとして所定の演算を行って出力値を得てもよく、或いは、２つの入力値の組み合わせと１つの出力値との対応関係を記憶しておいて、その記憶内容に基づいて２つの入力値から出力値を得てもよい。
【００２２】
なお、画面ムラ変化特性記憶部１に記憶される情報や、表示装置の画面ムラ特性記憶部４に記憶される情報は、例えば、予め行われた実験による測定の結果や、或いは理論的なシミュレーションの結果に基づいて決定される。一例として、表示装置の画面ムラ特性記憶部４の情報としては、工場出荷時等に装置をウォームアップして装置内温度やバックライト駆動電力を一定値にしたときの情報を設定することができる。
【００２３】
補正値送信部６は、入力された２次補正データに対応した補正値を３ＤＬＵＴ回路７へ出力する。ここで、２次補正データの値と補正値とは、同一の値であってもよく、或いは、異なる値であってもよい。
３ＤＬＵＴ回路７は、入力される映像信号に関して、画素階調Ｉと画面内の表示位置ｘ、ｙの組み合わせと出力値との対応関係をルックアップテーブル（ＬＵＴ）に記憶しており、入力された画素階調Ｉと画面内の表示位置ｘ、ｙの組み合わせに対応する出力値を液晶パネル８へ出力する。このＬＵＴの内容は、補正値送信部６からの補正値に対応して書き換えられ、当該補正値に対応したものとなる。なお、画面内の表示位置ｘ、ｙは、それぞれ、画面内で互いに直交する座標軸の座標値を表す。
【００２４】
ここで、３ＤＬＵＴ回路７は、映像信号を変化させる３ＤＬＵＴを用いて実現されており、画素の階調Ｉ、画素の画面内におけるｘ位置、そのｙ位置の３入力であり、これらの入力値に応じた画素階調の信号を出力する。この構成により、画素階調及び表示位置に応じた補正値を用いることができる。
液晶パネル８は、３ＤＬＵＴ回路７からの入力値に従った映像（画像）を表示画面に表示する。バックライト用光源９は、液晶パネル８を表示背面から照明する。
【００２５】
本実施形態では、３ＤＬＵＴ回路７で、入力される映像信号に関して、補正値送信部６からの補正値に応じて画素階調Ｉの補正が行われ、当該補正後の映像信号が出力される。これにより、現在の使用環境（本実施形態では、バックライト駆動電力や装置内温度）に基づいて画面内における各点の補正量を変化させることができ、このような画面ムラの補正によって、画面内における輝度ムラや色ムラを補正して均一な表示を実現することができる。
ここで、画面ムラを補正する対象としては、例えば、輝度と色度の両方が用いられてもよく、或いは、輝度のみが用いられてもよく、或いは、色度のみが用いられてもよい。なお、階調の情報には、一例として、輝度情報と色度情報が含まれている。
【００２６】
以上のように、本実施形態における液晶表示装置では、バックライト用光源９の駆動電力や装置内の温度をパラメータとして使用して、画面ムラを補正するための補正値を変化させることで、例えば、バックライトの温度変化を簡易的に推定した結果に応じた画面ムラ補正の制御が可能である。そして、本実施形態における液晶表示装置では、画面内の各点における輝度や色度のムラを抑圧して表示色を一定化（均一化）することができる。なお、輝度や色度を一定化する態様としては、必ずしも厳密に一定化されなくとも、略一定化される態様が用いられてもよい。
【００２７】
ここで、画面ムラの補正については、例えば、理想的には、光源の各点に温度センサを設置して、測定された温度分布に基づいて補正を行うことが望ましいが、このような手法では構造的にコストが高すぎるため実現困難な場合も多い。これに対して、本実施形態における画面ムラ補正では、必ずしも光源の各点に温度センサを設置しなくてもよいため、構造を簡易化して、コストを抑えることが可能である。
また、厳密な色再現が求められる産業分野では、例えば、表示装置の画面中央の特性を用いた定期校正が行われる場合があるが、このような手法では、環境温度や表示輝度による画面ムラにより、画面全体で所望の色特性を得ることが困難であった。これに対して、本実施形態における画面ムラ補正では、画面全体で所望の色特性を得ることが可能である。
【００２８】
なお、本実施形態における液晶表示装置では、表示部として液晶パネル８が用いられており、温度・バックライト駆動電力情報検出部２の機能によりバックライト駆動電力検出手段や装置内温度検出手段が構成されており、画面ムラ変化特性記憶部１や１次補正データ作成部３や表示装置の画面ムラ特性記憶部４や２次補正データ作成部５や補正値送信部６や３ＤＬＵＴ回路７の機能により画面ムラ補正手段が構成されている。
【００２９】
図２には、本実施形態における液晶表示装置（本提案装置）と図４に示されるような液晶表示装置（比較装置）について、ある液晶パネル（ＬＣＤ：Ｌｉｑｕｉｄ  Ｃｒｙｓｔａｌ  Ｄｉｓｐｌａｙ）を使用して、その画面内に均一な輝度と色度を実現するように制御した場合における画面ムラの補正特性（ここでは、階調の補正量）の例を示してある。
図２に示されるように、比較装置ではバックライト駆動電力が変化しても補正特性が固定であるのに対して、本実施形態では、バックライト駆動電力が変化すると、画面内のムラ特性の変化（図示せず）に対応して、バックライト駆動電力毎に補正特性（マップ形状）が変化する。この構成によれば、例えば、環境温度や表示輝度が変わっても画面ムラを適切に抑圧することができるという効果が得られる。
【００３０】
また、本実施形態における画面ムラ補正は、例えば、長期使用時における画面ムラの抑圧においても効果を発揮する。具体例として、表示輝度を一定に保つカラーマネジメント用途では、経年劣化に従ってバックライト用光源の発光効率が低下し、装置内温度やバックライト駆動電力が変化（上昇）するが、本実施形態における画面ムラ補正はこのような場合に適切に対応することができる。
【００３１】
本発明の第２の実施形態を説明する。
図３は、本発明の第２の実施形態に係る液晶表示装置の構成を示す概略ブロック図である。
本実施形態における液晶表示装置は、複数であるｎ個の表示装置の画面ムラ特性記憶部１１−１〜１１−ｎと、温度・バックライト電力情報検出部１２と、補正値選択・算出部１３と、を備えており、また、図１に示されるものと同様な構成部として、補正値送信部６と、３ＤＬＵＴ回路７と、液晶パネル８と、バックライト用光源９と、を備えている。
【００３２】
各表示装置の画面ムラ特性記憶部１１−１〜１１−ｎは、それぞれ、装置内温度やバックライト駆動電力といった使用環境を所定の固定値とした場合における表示装置の画面ムラの特性の情報を記憶する。ここで、各表示装置の画面ムラ特性記憶部１１−１〜１１−ｎは、それぞれ異なる使用環境（本実施形態では、装置内温度やバックライト駆動電力）に対応した画面ムラの特性の情報を記憶している。
温度・バックライト電力情報検出部１２は、装置内温度やバックライト駆動電力といった使用環境に関する情報を検出し、検出した情報を補正値選択・算出部１３へ出力する。
補正値選択・算出部１３は、表示装置の画面ムラ特性記憶部１１−１〜１１−ｎからの情報と温度・バックライト電力情報検出部１２からの情報に基づいて補正データを作成して補正値送信部６へ出力する。具体的には、補正値選択・算出部１３は、温度・バックライト電力情報検出部１２からの情報に相当する１つの記憶部（表示装置の画面ムラ特性記憶部１１−１〜１１−ｎのうちのいずれか）を選択し、選択した記憶部の情報を参照して、画面ムラの変化特性を補償する補正データを算出して作成する。または、隣接する２つの画面ムラ特性記憶部のデータから補間することによって補正データを算出してもよい。
【００３３】
ここで、第１の実施形態の場合と同様に、表示装置の画面ムラ特性記憶部１１−１〜１１−ｎが記憶する使用環境の情報及び温度・バックライト電力情報検出部１２が検出する使用環境の情報としては、本実施形態のように、バックライト駆動電力の情報と装置内温度の情報の両方が用いられるのが好ましいが、他の構成例として、バックライト駆動電力の情報のみが用いられてもよく、或いは、装置内温度の情報のみが用いられてもよい。
また、補正値送信部６、３ＤＬＵＴ回路７、液晶パネル８、バックライト用光源９の動作については、第１の実施形態の場合と同様である。なお、補正値送信部６は、第１の実施形態では２次補正データを入力するのに対して、本実施形態では、補正値選択・算出部１３からの補正データを入力し、補正データとしては第１の実施形態における２次補正データと同様なものが用いられている。
【００３４】
以上のように、この実施形態における液晶表示装置においても、画面ムラの補正について、第１の実施形態の場合と同様な効果を得ることができる。
なお、この実施形態における液晶表示装置では、表示部として液晶パネル８が用いられており、温度・バックライト電力情報検出部１２の機能によりバックライト駆動電力検出手段や装置内温度検出手段が構成されており、表示装置の画面ムラ特性記憶部１１−１〜１１−ｎや補正値選択・算出部１３や補正値送信部６や３ＤＬＵＴ回路７の機能により画面ムラ補正手段が構成されている。
【００３５】
ここで、図１に示される１つ以上の処理部（例えば、１次補正データ作成部３や２次補正データ作成部５や補正値送信部６）や、図３に示される１つ以上の処理部（例えば、補正値選択・算出部１３や補正値送信部６）に関して、該当する処理部の機能を実現するためのプログラムをコンピュータ読み取り可能な記録媒体に記録して、この記録媒体に記録されたプログラムをコンピュータシステムに読み込ませ、実行することにより画面ムラ補正を行ってもよい。なお、ここでいう「コンピュータシステム」とは、ＯＳや周辺機器等のハードウェアを含むものとする。
【００３６】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、サーバやクライアントとなるコンピュータシステム内部の揮発性メモリのように、一定時間プログラムを保持しているものを含むものとする。また、上記プログラムは、前述した機能の一部を実現するためのものであっても良く、さらに前述した機能をコンピュータシステムにすでに記録されているプログラムとの組み合わせで実現できるものであってもよい。また、上記のプログラムを所定のサーバに記憶させておき、他の装置からの要求に応じて、当該プログラムを通信回線を介して配信（ダウンロード等）させるようにしてもよい。
【００３７】
以上、本発明の実施形態について図面を参照して詳述してきたが、具体的な構成はこの実施形態に限られるものではなく、この発明の要旨を逸脱しない範囲の設計等も含まれる。
【産業上の利用可能性】
【００３８】
本発明は、例えば、液晶パネルを使用する直視型表示装置や表示方法ばかりでなく、プロジェクタ等の投写型表示装置や表示方法に適用することもでき、また、他の表示装置や表示方法に適用されてもよい。
本発明は、特に、グラフィックデザイン、印刷所、医療用ディスプレイなどのように、安定した色再現を行う表示装置や表示方法が必要となる分野で優れた効果を発揮する。
【符号の説明】
【００３９】
１    画面ムラ変化特性記憶部
２    温度・バックライト駆動電力情報検出部
３    １次補正データ作成部
４    表示装置の画面ムラ特性記憶部
５    ２次補正データ作成部
６    補正値送信部
７    ３ＤＬＵＴ回路
８    液晶パネル
９    バックライト用光源
１１−１〜１１−ｎ    表示装置の画面ムラ特性記憶部
１２    温度・バックライト電力情報検出部
１３    補正値選択・算出部
１０１    表示装置の画面ムラ測定値／補正値記憶部
１０２    目標ムラ特性記憶部
１０３    比較部
１０４    補正値算出部
１０５    補正値送信部
１０６    ３ＤＬＵＴ回路
１０７    液晶パネル
１０８    バックライト用光源
【図１】
2012157093.tif 000003
【図２】
2012157093.tif 000004
【図３】
2012157093.tif 000005
【図４】
2012157093.tif 000006
【国際調査報告】
2012157093.tif 000007
2012157093.tif 000008
2012157093.tif 000009
2012157093.tif 000010